(57)【要約】【課題】録画されている各コンテンツの内容をユーザが容易に識別できる映像記録装置を提供する。【解決手段】ウィンドウスタイル設定部２０は、ユーザのリモコン操作に応じて、サムネイル画像の表示形式を設定するための設定キーワードと、この設定キーワードに対応させるウィンドウスタイルとを含む設定情報を生成する。サムネイル加工部２２は、設定キーワードに対応して設定されたウィンドウスタイルを用いて、サムネイル画像をウィンドウスタイルの形状に切り出す切出し加工を行う。【選択図】図１
2008060646.tif 000002
【特許請求の範囲】
【請求項１】
番組コンテンツを記録するコンテンツ記録手段と、
電子番組表情報を外部から取得する電子番組表取得手段と、
前記コンテンツ記録手段に記録する番組コンテンツである記録番組コンテンツの内容を示すテキストデータであるコンテンツ情報を、前記電子番組表情報から取得するか、または、前記コンテンツ情報が前記記録番組コンテンツに付加されている場合はこのコンテンツ情報を取得するコンテンツ情報取得手段と、
前記記録番組コンテンツを代表する画像として前記記録番組コンテンツを構成する複数の画像から１枚を選択し、この選択した１枚の画像をサムネイル画像に変換するサムネイル生成手段と、
番組コンテンツの内容を表す図形データ、文字データ、色合データの少なくともいずれかを有するスタイルデータであるウィンドウスタイルデータを複数保存するウィンドウスタイル保存手段と、
外部から入力される、複数のキーワードとその各キーワードに付加する優先度とをそれぞれ組とし、このそれぞれの組を設定キーワードとして保存するとともに、外部からの指示に応じて、この複数の設定キーワードそれぞれに、前記ウィンドウスタイル保存手段で保存されている複数の前記ウィンドウスタイルデータのうちの所定のウィンドウスタイルデータを対応付けるサムネイル表示形式設定手段と、
前記コンテンツ情報から複数のキーワードを抽出するキーワード抽出手段と、
前記キーワード抽出手段で抽出した前記複数のキーワードそれぞれと前記設定キーワードそれぞれとを比較して一致する設定キーワードを抽出し、この一致した設定キーワードのうち最も前記優先度の高い設定キーワードを１つ選択し、この選択した設定キーワードに対応付けられた前記ウィンドウスタイルデータを選択するウィンドウスタイル選択手段と、
前記サムネイル生成手段で生成した前記番組コンテンツの前記サムネイル画像を、前記ウィンドウスタイル選択手段で選択されたウィンドウスタイルデータを用いて加工するサムネイル加工手段と
を備えることを特徴とする映像記録装置。
【発明の詳細な説明】
【技術分野】
【０００１】
本発明は、放送番組等を録画する映像記録装置に関する。
【背景技術】
【０００２】
近年、放送番組などを録画する映像記録装置として、ハードディスクなどの記録媒体に記録するデジタルディスクレコーダ装置が広く利用されている。このような映像記録装置において、録画したコンテンツの中から再生したいコンテンツを選択する場合に、録画したコンテンツの代表画像を縮小したサムネイル一覧画像を表示し、カーソルを所望するコンテンツへ合わせることにより選択する方法が知られている。
【０００３】
サムネイル画像の表示形態は、種々のものが提案されている。例えば、特許文献１には、録画した年代ごとに、サムネイル画像の表示色をセピア、モノトーンなどに加工する技術が開示されている。また、特許文献２には、現実の紙に生じる時間的な色の変化等を電子的にサムネイル画像に施す技術が開示されている。さらに、特許文献３には、録画したコンテンツの再生日時に基づいて、サムネイル画像の透過率を変える技術が開示されている。
【特許文献１】特開２００２−７７７７９号公報
【特許文献２】特開平１０−２０７７５２号公報
【特許文献３】特開２００５−１０８０６６号公報
【発明の開示】
【発明が解決しようとする課題】
【０００４】
特許文献１〜３に開示された技術では、時間をパラメータとしてサムネイル画像の表示色を加工しているが、サムネイル画像の形状はいずれも四角形である。このため、ユーザが再生したいコンテンツを検索する際、そのコンテンツがドラマなのかスポーツなのかなど、コンテンツの内容を、視覚的、直感的に識別することができないという問題があった。
【０００５】
そこで本発明は、録画されている各番組コンテンツの内容をユーザが容易に識別できる映像記録装置を提供することを目的とする。
【課題を解決するための手段】
【０００６】
上記目的を達成するため、本発明の映像記録装置は、番組コンテンツを記録するコンテンツ記録手段と、電子番組表情報を外部から取得する電子番組表取得手段と、前記コンテンツ記録手段に記録する番組コンテンツである記録番組コンテンツの内容を示すテキストデータであるコンテンツ情報を、前記電子番組表情報から取得するか、または、前記コンテンツ情報が前記記録番組コンテンツに付加されている場合はこのコンテンツ情報を取得するコンテンツ情報取得手段と、前記記録番組コンテンツを代表する画像として前記記録番組コンテンツを構成する複数の画像から１枚を選択し、この選択した１枚の画像をサムネイル画像に変換するサムネイル生成手段と、番組コンテンツの内容を表す図形データ、文字データ、色合データの少なくともいずれかを有するスタイルデータであるウィンドウスタイルデータを複数保存するウィンドウスタイル保存手段と、外部から入力される、複数のキーワードとその各キーワードに付加する優先度とをそれぞれ組とし、このそれぞれの組を設定キーワードとして保存するとともに、外部からの指示に応じて、この複数の設定キーワードそれぞれに、前記ウィンドウスタイル保存手段で保存されている複数の前記ウィンドウスタイルデータのうちの所定のウィンドウスタイルデータを対応付けるサムネイル表示形式設定手段と、前記コンテンツ情報から複数のキーワードを抽出するキーワード抽出手段と、前記キーワード抽出手段で抽出した前記複数のキーワードそれぞれと前記設定キーワードそれぞれとを比較して一致する設定キーワードを抽出し、この一致した設定キーワードのうち最も前記優先度の高い設定キーワードを１つ選択し、この選択した設定キーワードに対応付けられた前記ウィンドウスタイルデータを選択するウィンドウスタイル選択手段と、前記サムネイル生成手段で生成した前記番組コンテンツの前記サムネイル画像を、前記ウィンドウスタイル選択手段で選択されたウィンドウスタイルデータを用いて加工するサムネイル加工手段とを備えることを特徴とする。
【発明の効果】
【０００７】
本発明の映像記録装置によれば、番組コンテンツの内容を表す図形データ、文字データ、色合データの少なくともいずれかを有するスタイルデータであるウィンドウスタイルデータを用いてサムネイル画像を加工するので、サムネイル画像の形状等により、録画されている各番組コンテンツの内容をユーザが容易に識別することができる。
【発明を実施するための最良の形態】
【０００８】
以下、本発明の映像記録装置を実施するための最良の形態について、図面を参照して説明する。
【０００９】
図１は本発明の実施の形態に係る映像記録装置の構成を示すブロック図である。図１に示すように本実施の形態に係る映像記録装置１０は、デマルチプレクサ（Ｄｅｍｕｘ）１１と、コンテンツ記録処理部１２と、ＥＰＧ取得部１３と、番組情報記録処理部１４と、サムネイル生成部１５と、ネットワークＩ／Ｆ部１６と、辞書情報保存部１７と、ウィンドウスタイル保存部１８と、受光部１９と、ウィンドウスタイル設定部２０と、番組情報抽出部２１と、サムネイル加工部２２と、記憶部２３と、出力部２４と、制御部２５とを備える。
【００１０】
Ｄｅｍｕｘ１１には、デジタルチューナ２６が接続されている。デジタルチューナ２６は、図示しないデジタル放送用アンテナから入来する放送信号について所望のチャンネルへのチューニングを行って、Ｄｅｍｕｘ１１にトランスポートストリーム（ＴＳ）を供給する。Ｄｅｍｕｘ１１は、デジタルチューナ２６から入力されるトランスポートストリームから映像データ、音声データ、およびそれ以外の制御情報（ＰＳＩ：Program Specific Information）を含む情報データを分離する。Ｄｅｍｕｘ１１は、映像データ、音声データ、および情報データのうちのＰＳＩ情報をコンテンツ記録処理部１２に出力し、情報データを番組情報記録処理部１４に出力する。
【００１１】
コンテンツ記録処理部１２は、Ｄｅｍｕｘ１１からの映像データ、音声データ、およびＰＳＩ情報をコンテンツデータとして記憶部２３のコンテンツデータ記憶領域２３Ｃに格納する。
【００１２】
また、コンテンツ記録処理部１２には、アナログチューナ２７が接続されている。アナログチューナ２７は、図示しないアナログ放送用アンテナから入来する放送信号について所望のチャンネルへのチューニングを行って、コンテンツ記録処理部１２に受信信号を供給する。コンテンツ記録処理部１２は、アナログチューナ２７からの受信信号をＡ／Ｄ変換した後、ＭＰＥＧ等の画像符号化方式により圧縮符号化して、生成した符号化データをコンテンツデータとして記憶部２３のコンテンツデータ記憶領域２３Ｃに格納する。
【００１３】
なお、デジタルチューナ２６およびアナログチューナ２７は、映像記録装置１０に内蔵されていてもよい。
【００１４】
ＥＰＧ取得部１３は、ＥＰＧ（電子番組表）専用チャンネルの放送信号からＥＰＧ情報を取得し、このＥＰＧ情報を番組情報記録処理部１４に供給する。
【００１５】
番組情報記録処理部１４は、Ｄｅｍｕｘ１１から入力される情報データに含まれるＰＭＴ（Program Map Table）またはＳＩＴ（Selection Information Table）の少なくともいずれか一方を取り出し、これをコンテンツ情報データとして記憶部２３のコンテンツ情報データ記憶領域２３Ａに格納する。ＰＭＴ、ＳＩＴは、ＰＳＩの１つであり、番組の内容に関する情報を含む番組情報等を記述したテーブルである。また、番組情報記録処理部１４は、ＥＰＧ取得部１３から入力されるＥＰＧ情報をコンテンツ情報データとして記憶部２３のコンテンツ情報データ記憶領域２３Ａに格納する。
【００１６】
サムネイル生成部１５は、コンテンツデータ記憶領域２３Ｃに記録中のコンテンツデータの代表画像として、例えばコンテンツの先頭部分の画像データを取得し、これをサムネイル画像として記憶部２３のサムネイルデータ記憶領域２３Ｄに格納する。
【００１７】
ネットワークＩ／Ｆ部１６は、ネットワーク２８を介してサーバ２９との間でデータの入出力を行う。
【００１８】
辞書情報保存部１７は、サーバ２９からネットワーク２８を介して受信した辞書情報を保存する。辞書情報は、多数の単語を含んで構成されるもので、サーバ２９に保持されている。この辞書情報は、サーバ２９において随時更新される。
【００１９】
ウィンドウスタイル保存部１８は、サーバ２９からネットワーク２８を介して受信したウィンドウスタイルを保存する。ウィンドウスタイルは、サムネイル画像を加工する形状を示すデータであり、ウィンドウスタイルの形状としては、コンテンツの内容を示す図形、文字などがある。サーバ２９には各種のウィンドウスタイルが保持されている。
【００２０】
受光部１９は、図示しないリモコンより出力される例えば赤外線を受光する。そして、この赤外線が有する伝達信号を操作信号に適宜変換して制御部２５へ出力する。  
ウィンドウスタイル設定部２０は、ユーザのリモコン操作に応じて、サムネイル画像の表示形式を設定するための設定キーワードと、この設定キーワードに対応させるウィンドウスタイルと、設定キーワードの優先度とを含む設定情報を生成してこれを保持する。
【００２１】
番組情報抽出部２１は、辞書情報保存部１７に保存されている辞書情報に含まれる単語と、コンテンツ情報データ記憶領域２３Ａに記録されたコンテンツ情報データとを照合し、番組キーワードとなる文字を名詞や動詞といった形で抽出する。
【００２２】
サムネイル加工部２２は、サムネイル画像をウィンドウスタイルの形状に切り出す切出し加工、または、サムネイル画像をウィンドウスタイルの形状の内部と外部とで異なる色合いになるようにする色合い加工を行う。
【００２３】
記憶部２３は、ＨＤＤ等により構成され、コンテンツ情報データ記憶領域２３Ａと、ウィンドウスタイルデータ記憶領域２３Ｂと、コンテンツデータ記憶領域２３Ｃと、サムネイルデータ記憶領域２３Ｄとを備える。
【００２４】
コンテンツ情報データ記憶領域２３Ａは、番組情報記録処理部１４からのコンテンツ情報データを記憶する。ウィンドウスタイルデータ記憶領域２３Ｂは、ウィンドウスタイル保存部１８に保存されたウィンドウスタイルのうち、ユーザ操作に応じて設定キーワードに対応して設定されたウィンドウスタイルを記憶する。コンテンツデータ記憶領域２３Ｃは、コンテンツ記録処理部１２からのコンテンツデータを記録する。サムネイルデータ記憶領域２３Ｄは、サムネイル生成部１５で生成されたサムネイル画像を記憶する。また、サムネイルデータ記憶領域２３Ｄは、サムネイル加工部２２で加工されたサムネイル画像を記憶する。
【００２５】
出力部２４は、サムネイルデータ記憶領域２３Ｄに記憶された加工されたサムネイル画像を用いてコンテンツ一覧画像を生成し、外部のテレビモニタ３０に出力する。また、出力部２４は、ウィンドウスタイル設定部２０に保持されている設定情報に基づいて、サムネイル表示形式設定画像を生成してテレビモニタ３０に出力する。制御部２５は、映像記録装置１０に設けられた各部を制御する。
【００２６】
次に、本実施の形態に係る映像記録装置１０の動作について説明する。
【００２７】
まず、録画に先立ち、ユーザは、設定キーワードに応じてサムネイル表示形式を変えるための設定操作をリモコンを用いて行う。図２はサムネイル表示形式を設定する手順を示すフローチャートである。
【００２８】
ユーザのリモコン操作により設定開始指示が受光部１９を介して入力されると、制御部２５は、ウィンドウスタイル設定部２０に保持されている設定情報に基づいて、図３に示すようなサムネイル表示形式設定画像を生成してテレビモニタ３０に表示するように出力部２４を制御する。
【００２９】
ユーザは図３に示すサムネイル表示形式設定画像を見ながら設定操作を行う。まず、ステップＳ１０において、設定キーワードを入力する。ユーザ操作によりサムネイル表示形式設定画像の設定一覧４１中の未設定の欄が選択されると、制御部２５は、受光部１９を介して操作信号を受け取る。そして、制御部２５は、図４に示すような、キーボードパレット４４が表示される画像を生成して表示するように出力部２４を制御する。
【００３０】
そして、ユーザはキーボードパレット４４から文字を選択することにより設定キーワードを入力する。ユーザのリモコン操作により、設定キーワードが入力されると、受光部１９は、リモコンからの信号を操作信号に変換し、制御部２５に出力する。そして、制御部２５は、ウィンドウスタイル設定部２０に制御信号を出力し、入力された設定キーワードを組み込んだ設定情報を生成させる。
【００３１】
次に、ステップＳ２０において、設定キーワードに対応させるウィンドウスタイルを選択する。ユーザ操作により設定キーワードの入力が終了してＯＫボタン４５が選択されると、制御部２５は、受光部１９を介して操作信号を受け取る。そして、制御部２５は、図５に示すようなウィンドウスタイル設定画像を生成して表示するように出力部２４を制御する。図５に示すように、ウィンドウスタイル設定画像画像には、ウィンドウスタイル保存部１８に保存されているウィンドウスタイル４６ａ，４６ｂ，…が表示される。
【００３２】
そして、ユーザは表示されたウィンドウスタイル４６ａ，４６ｂ，…の中から一つを選択する。ユーザのリモコン操作により、ウィンドウスタイルが選択されると、受光部１９は、リモコンからの信号を操作信号に変換し、制御部２５に出力する。そして、制御部２５は、ウィンドウスタイル設定部２０に制御信号を出力し、選択されたウィンドウスタイルを組み込んだ設定情報を生成させる。なお、ウィンドウスタイルは、ネットワーク２８を介してサーバ２９よりダウンロードすることにより、新規に追加することができる。
【００３３】
また、制御部２５は、ウィンドウスタイル保存部１８に保存されているウィンドウスタイルのうち、設定キーワードに対応して選択されたウィンドウスタイルを、ウィンドウスタイルデータ記憶領域２３Ｂに記憶する。
【００３４】
次に、ステップＳ３０において、サムネイル表示形式設定画像のＵＰ矢印４２、ＤＯＷＮ矢印４３を選択することにより、ステップＳ１０で入力した設定キーワードの優先度を設定する。設定一覧４１中で上方にある設定キーワードほど優先度が高い。ユーザのリモコン操作により、設定キーワードの優先度が選択されると、受光部１９は、リモコンからの信号を操作信号に変換し、制御部２５に出力する。そして、制御部２５は、ウィンドウスタイル設定部２０に制御信号を出力し、選択された優先度を組み込んだ設定情報を生成させる。
【００３５】
次に、ステップＳ４０において、制御部２５は、ユーザ操作によりサムネイル表示形式設定画像の設定一覧４１中の未設定の欄が新たに選択されたかどうかにより、設定キーワードを追加するかどうかを判断する。追加する場合（ステップＳ４０：ＹＥＳ）、ステップＳ１０に戻る。追加しない場合（ステップＳ４０：ＮＯ）、設定操作を終了する。
【００３６】
次に、録画を開始した後、サムネイル画像の加工を行う手順を、図６に示すフローチャートを参照して説明する。
【００３７】
まず、ステップＳ１１０において、映像記録装置１０は、所望のコンテンツがデジタル放送に含まれる場合は、デジタル放送を受信したデジタルチューナ２６からトランスポートストリームを受け取る。所望のコンテンツがアナログ放送に含まれる場合は、アナログ放送を受信したアナログチューナ２７から受信信号を受け取る。
【００３８】
次に、ステップＳ１２０において、所望のコンテンツがデジタル放送に含まれる場合は、制御部２５は、デジタルチューナ２６から入力されるトランスポートストリームから映像データ、音声データ、情報データを分離し、映像データ、音声データ、および情報データのうちのＰＳＩ情報をコンテンツ記録処理部１２に出力し、情報データを番組情報記録処理部１４に出力するようにＤｅｍｕｘ１１を制御する。そして、制御部２５は、Ｄｅｍｕｘ１１からの映像データ、音声データ、およびＰＳＩ情報をコンテンツデータとして記憶部２３のコンテンツデータ記憶領域２３Ｃに記録するようにコンテンツ記録処理部１２を制御する。
【００３９】
所望のコンテンツがアナログ放送に含まれる場合は、制御部２５は、アナログチューナ２７からの受信信号をＡ／Ｄ変換した後、圧縮符号化して、生成した符号化データをコンテンツデータとして記憶部２３のコンテンツデータ記憶領域２３Ｃに記録するようにコンテンツ記録処理部１２を制御する。
【００４０】
次に、ステップＳ１３０において、所望のコンテンツがデジタル放送に含まれる場合は、制御部２５は、Ｄｅｍｕｘ１１からの情報データに含まれるＰＭＴまたはＳＩＴの少なくともいずれか一方を取り出し、これをコンテンツ情報データとして記憶部２３のコンテンツ情報データ記憶領域２３Ａに記録するように番組情報記録処理部１４を制御する。
【００４１】
所望のコンテンツがアナログ放送に含まれる場合は、制御部２５は、ＥＰＧ専用チャンネルの放送信号からＥＰＧ情報を取得し、このＥＰＧ情報を番組情報記録処理部１４に供給するようにＥＰＧ取得部１３を制御する。そして、制御部２５は、ＥＰＧ取得部１３からのＥＰＧ情報をコンテンツ情報データとして記憶部２３のコンテンツ情報データ記憶領域２３Ａに記録するように番組情報記録処理部１４を制御する。
【００４２】
次に、ステップＳ１４０において、制御部２５は、コンテンツデータ記憶領域２３Ｃに記録中のコンテンツデータの代表画像として、例えばコンテンツの先頭部分の画像データを取得し、これをサムネイル画像として記憶部２３のサムネイルデータ記憶領域２３Ｄに記録するようにサムネイル生成部１５を制御する。
【００４３】
次に、ステップＳ１５０において、制御部２５は、辞書情報保存部１７に保存されている辞書情報に含まれる単語と、コンテンツ情報データ記憶領域２３Ａに記録されたコンテンツ情報データとを照合し、番組キーワードとなる文字を名詞や動詞といった形で抽出するように番組情報抽出部２１を制御する。
【００４４】
次に、ステップＳ１６０において、制御部２５は、番組情報抽出部２１で抽出した番組キーワードの中に、ウィンドウスタイル設定部２０が保持している設定情報に含まれる設定キーワードがあるかどうかを判断する。
【００４５】
番組キーワードの中に設定キーワードがある場合（ステップＳ１６０：ＹＥＳ）、ステップＳ１７０において、制御部２５は、サムネイルデータ記憶領域２３Ｄに記録したサムネイル画像を、番組キーワードと一致する設定キーワードに対応して設定されているウィンドウスタイルを用いて加工するようにサムネイル加工部２２を制御する。なお、番組情報抽出部２１で抽出した番組キーワードの中に、ウィンドウスタイル設定部２０が保持している設定情報に含まれる設定キーワードが複数ある場合、優先度の最も高い設定キーワードに対応して設定されているウィンドウスタイルを採用する。
【００４６】
サムネイル加工部２２は、サムネイル画像をウィンドウスタイルの形状に切り出す切出し加工、または、サムネイル画像をウィンドウスタイルの形状の内部と外部とで異なる色合いになるようにする色合い加工を行う。加工されたサムネイル画像は、記憶部２３のサムネイルデータ記憶領域２３Ｄに記録される。
【００４７】
加工されたサムネイル画像の例を図７に示す。切出し加工では、図７（ａ）に示すように、加工前のサムネイル画像（元サムネイル画像）５１をウィンドウスタイル５２の形状で切り出すことで、加工後のサムネイル画像５３が生成される。
【００４８】
色合い加工されたサムネイル画像の例を図７（ｂ），（ｃ）に示す。図７（ｂ）では、加工後のサムネイル画像５４は、ウィンドウスタイル５２の形状の内部５４ａは元サムネイル画像５１と同様のカラーのままで、ウィンドウスタイル５２の形状の外部５４ｂはモノクロやセピアなど、元サムネイル画像と異なる色合いに加工されている。図７（ｃ）においても同様に、加工後のサムネイル画像５６は、ウィンドウスタイル５５の形状の内部５６ａは元サムネイル画像５１と同様のカラーのままで、ウィンドウスタイル５５の形状の外部５６ｂはモノクロやセピアなど、元サムネイル画像と異なる色合いに加工されている。
【００４９】
番組キーワードの中に設定キーワードがない場合（ステップＳ１６０：ＮＯ）は、サムネイル画像の加工は行わない。
【００５０】
録画が終了したのち、ユーザのリモコン操作により、録画したコンテンツから視聴する番組を選択するためのコンテンツ一覧表示指示が受光部１９を介して入力されると、制御部２５は、サムネイルデータ記憶領域２３Ｄに記憶された、加工されたサムネイル画像を用いてコンテンツ一覧画像を生成し、外部のテレビモニタ３０に出力するように出力部２４を制御する。加工されなかったサムネイル画像は、元の形状（四角形）および色合い（カラー）のままコンテンツ一覧画像に表示されることになる。
【００５１】
このように本実施の形態によれば、ユーザ操作により設定キーワードに対応して設定されたウィンドウスタイルを用いて、サムネイル画像をウィンドウスタイルの形状に切り出す切出し加工、または、サムネイル画像をウィンドウスタイルの形状の内部と外部とで異なる色合いになるようにする色合い加工を行うので、録画されている各コンテンツの内容をユーザが視覚的、直感的に識別することができる。また、視覚的にも楽しめて、ユーザのオリジナリティを表現することができる。
【図面の簡単な説明】
【００５２】
【図１】本発明の実施の形態に係る映像記録装置の構成を示すブロック図である。
【図２】サムネイル表示形式を設定する手順を示すフローチャートである。
【図３】サムネイル表示形式設定画像の一例を示す図である。
【図４】設定キーワード入力画像の一例を示す図である。
【図５】ウィンドウスタイル設定画像の一例を示す図である。
【図６】サムネイル画像の加工を行う手順を示すフローチャートである。
【図７】（ａ）は切出し加工されたサムネイル画像の一例を示す図、（ｂ）は色合い加工されたサムネイル画像の一例を示す図、（ｃ）は色合い加工されたサムネイル画像の他の一例を示す図である。
【符号の説明】
【００５３】
１０  映像記録装置
１１  デマルチプレクサ（Ｄｅｍｕｘ）
１２  コンテンツ記録処理部
１３  ＥＰＧ取得部
１４  番組情報記録処理部
１５  サムネイル生成部
１６  ネットワークＩ／Ｆ部
１７  辞書情報保存部
１８  ウィンドウスタイル保存部
１９  受光部
２０  ウィンドウスタイル設定部
２１  番組情報抽出部
２２  サムネイル加工部
２３  記憶部
２４  出力部
２５  制御部
２６  デジタルチューナ
２７  アナログチューナ
２８  ネットワーク
２９  サーバ
３０  テレビモニタ
【図１】
2008060646.tif 000003
【図２】
2008060646.tif 000004
【図３】
2008060646.tif 000005
【図４】
2008060646.tif 000006
【図５】
2008060646.tif 000007
【図６】
2008060646.tif 000008
【図７】
2008060646.tif 000009